(57)【要約】【課題】プラグ接続装置の安全性と信頼性とを向上するための安全装置を得る。【解決手段】プラグ接続のための安全装置（２）は、固定具（２ｃ）でソケット（１）の前部に固定可能なカラー状のハウジング（２ａ）を有していて、該ハウジング（２ａ）は、プラグ（３）がソケット（１）に接続された場合、該プラグ（１）から突出する開錠舌状部材（３ｂ）の端部が完全にハウジング（２ａ）の内部に納まるように形成され、また、該ハウジング（２ａ）は側面にキー孔（２ｄ）を有し、該キー孔（２ｄ）に嵌合するキー（５）により開錠舌状部材（３ｂ）が回転可能であり、それによってプラグ接続が解除可能となるように、上記キー孔（２ｄ）が開錠舌状部材（３ｂ）の姿勢に関係付けて適切に配置されている。【選択図】図２
2004533087.tif 000002
【特許請求の範囲】
【請求項１】
ソケット（１）とプラグ（３）とをプラグ接続する際の安全装置（２）であって、上記プラグ（３）の開錠舌状部材（３ｂ）とソケット（１）の係止突起（１ｆ）とで解除可能な固定接続部を形成する上記安全装置（２）において、該安全装置（２）がカラー状のハウジング（２ａ）を有し、このハウジング（２ａ）は、固定具（２ｃ）で上記ソケット（１）の前部に固定可能であり、かつ、上記プラグ（３）をソケット（１）に接続した場合に、該プラグ（１）から突出する上記開錠舌状部材（３ｂ）の端部が完全にハウジング（２ａ）の内部に納まるように該ハウジング（２ａ）は形成されており、また、該ハウジング（２ａ）は、側面に配置されたキー孔（２ｄ）を有し、該キー孔（２ｄ）は、該キー孔（２ｄ）に嵌合するキー（５）により上記開錠舌状部材（３ｂ）が押されてプラグ接続が解除可能となるように、上記開錠舌状部材（３ｂ）の姿勢に関係づけて形成されており、更に、上記ハウジング（２ａ）は、軸受け部分（２ｈ）及び／又はキー孔（２ｄ）を有し、この軸受け部分（２ｈ）及び／又はキー孔（２ｄ）は、それらの中でキー（５）が軸（５ａ）を中心に回転可能であるように形成されていることを特徴とする安全装置（２）。
【請求項２】
上記キー（５）が上記キー孔（２ｄ）の断面に適合させて形成されたキー主爪（５ｂ）を有し、このキー主爪（５ｂ）が、上記開錠舌状部材（３ｂ）と共同して機能する表面を有することを特徴とする請求項１に記載の安全装置（２）。
【請求項３】
異なる形態のキー孔（２ｄ）とそれぞれに適合するキー（５）との組み合わせのために、安全装置（２）とそれに適合するキー（５）とが特徴で関連づけられており、特に色で目印が付けられていることを特徴とする請求項１又は２に記載の安全装置（２）。
【請求項４】
上記キー孔（２ｄ）が中子（２ｉ）に形成されていて、上記ハウジング（２ａ）が該中子（２ｉ）を受け入れるための保持部（２ｎ）を有することを特徴とする先行する請求項の何れか１つに記載の安全装置（２）。
【請求項５】
異なる形態のキー孔（２ｄ）を持つ複数の中子（２ｉ）と、上記キー孔（２ｄ）に適合させて形成された異なる形態のキー主爪をもつ複数のキー（５）とを含むことを特徴とする請求項４に記載の安全装置（２）。
【請求項６】
上記中子（２ｉ）及びキー（５）が目印で特徴付けられていて、相互に適合する中子（２ｉ）とキー（５）とが同じ目印、特に同じ色を備えていることを特徴とする請求項５に記載の安全装置（２）。
【請求項７】
上記中子（２ｉ）の目印を外部から見ることができるように、ハウジング（２ａ）に貫通部（２ｇ）が形成されていることを特徴とする請求項６に記載の安全装置（２）。
【請求項８】
上記中子（２ｉ）が鼻状の突起（２ｋ）を有していて、該鼻状突起が貫通部（２ｇ）内に位置し、かつ該鼻状突起（２ｋ）が目印を有するように形成されていることを特徴とする請求項７に記載の安全装置（２）。
【請求項９】
上記ハウジング（２ａ）の内部空間がパッキン（６）で外部に対して密閉されていることを特徴とする先行の請求項の何れか１つに記載の安全装置（２）。
【請求項１０】
先行の請求項の何れか１つに記載の安全装置（２）と、ソケット（１）特にＲＪ−ソケットと、プラグ（３）と、キー（５）とを含むことを特徴とするプラグ接続システム。
【発明の詳細な説明】
【技術分野】
【０００１】
本発明は、請求項１の上位概念によるプラグ接続のための安全装置並びにこのような安全装置を有するプラグ接続システムに関する。
【背景技術】
【０００２】
例えば、電話線、コンピュータシステム又はネットワークを互いに接続するために、多数のモジュールとして装備されたプラグ接続システムが知られている。例えば、ＲＪ−４５−プラグ接続装置は、ＩＥＣ６０’６０３−７に従い規格化されたもので、通信及びデータ網における、世界的規模で適用されているプラグ接続装置の標準である。このようなプラグ接続装置はプラグとソケットとを含む。通常、このソケットでは、ラック又は所謂引き込み部がコンセントに配置されている。
【０００３】
現在、近代的に装備された構成では、多数のソケットを有する所謂国際建物ケーブル布線（ＵＧＶ）を含み、必要に応じてアナログ又はディジタル電話、テレファックス装置、コンピュータ、プリンタ及びモデムを互いに接続する。
【０００４】
不利益なことには、公知のプラグ接続装置つまり国際建物ケーブル布線に関して、意図せずに解除／ロックされることにより、接続の問題及びネットワークの欠陥が現れるという事実がある。このようなネットワークの欠陥を除去するためには費用がかかり、安定せず、極端な場合にはコンピュータシステムの全体が共に故障することになる。従って、信頼でき確実なプラグ接続が確保することが最も重要である。
【発明の開示】
【発明が解決しようとする課題】
【０００５】
本発明の目的は、プラグ接続装置の安全性と信頼性とを向上するための安全装置を創造することである。
【課題を解決するための手段】
【０００６】
この目的は、請求項１の特徴をもつ本発明の安全装置により解決される。従属の請求項２ないし９は、本発明の安全装置の更に有利に形成された態様に関する。この目的は、更に請求項１０の特徴を持つプラグ接続システムにより解決される。
【０００７】
上記の目的は、特にプラグ接続のための安全装置により解決される。プラグが開錠舌状部材を有していて、該開錠舌状部材がソケットの係止突起と共に解除可能な接続部を形成し、その場合、上記安全装置がカラー状のハウジングを有し、該ハウジングは固定具によりソケットの前部に固定可能であり、また、プラグがソケットに接続された場合、該プラグから突出する開錠舌状部材の端部が完全にハウジングの内部に納まるように、該ハウジングはプラグ接続に適合させて形成されており、更に該ハウジングは、上記開錠舌状部材を入れるためのキー孔を有し、該キー孔に嵌合されたキーによって上記開錠舌状部材が回転可能であり、それよりプラグ接続が解除可能となるように、上記キー孔は開錠舌状部材の姿勢に関係づけて形成されている。
【０００８】
ＵＧＶつまりネットワークに煩雑に生じる欠陥は、プラグ接続装置の操作の欠陥又はプラグ接続装置若しくはケーブルに現れるハードウエアの欠陥により引き起こされると認識されている。日常投入する場合、問題が生じる。例えば、事務所が変更され、コンピュータが新しい位置でネットワークに接続される場合、プラグ接続装置が正当でない人によって分離されるという問題が生じる。本発明の安全装置の利益は、プラグ接続の権限のない分離がもはや可能でなく、これによりプラグ接続即ちネットワークの安全性と信頼性又は全体的な建物ケーブル布線の安全性と信頼性とが本質的に向上する。
【０００９】
本発明の安全装置を装備したソケットの利益は、プラグ接続を分離するためには、例えばキーの形の開錠手段が必要なことである。それによって、意図されない及び／又は権限のない分離は阻止される。更に、開錠手段即ちキーは、例えば正当な人にだけ与えられ、対応する用意周到さと対応する専門知識をもって操作される。
【００１０】
本発明の安全装置は、例えばＲＪ−４５−プラグ接続装置のような現存するプラグ接続装置の封鎖を可能にするために、現存のソケットに簡単に且つ迅速に装備することが可能であるという更なる利益をもつ。これによって、ネットワークつまりＵＧＶの安全性が少ないコストで本質的に改良できる。
【００１１】
本発明による安全装置は、ソケットの前部に固定されるハウジングを有する。またプラグは、ソケットと共に解除可能な接続部を形成する上記開錠舌状部材を有する。プラグがソケットに差し込まれたとき上記開錠舌状部材が完全にハウジングの内部に存在するように、該ハウジングが形成されている。その場合、該ハウジングは、特別な道具即ちキーなしでは開錠舌状部材を操作できないように形成されている。ハウジングは対応する適切なキーを差し込むことができるキー孔を有する。キーを操作する場合、開錠舌状部材が移動されそれによってプラグ接続が解除され、プラグをソケットから引き出すことができるように、キー孔がハウジングに配置され且つキーが形成されている。
【発明を実施するための最良の形態】
【００１２】
以下の図面において、同じ対象物は同じ参照符号で示されている。キーに関して、開口若しくはキー孔２ｄと共同作用する器具が次に述べるように一般に理解される。
【００１３】
図１は、内部空間１ａ、ハウジング１ｂ及び電気的接続部材又はスイッチ部材１ｃを有するソケット１を示す。このソケット１は、通常の規格化された構成要素である。図示のソケット１は、ＲＪ−４５プラグ接続の構成要素である。このソケット１の図示された構成は一般に知られている。このソケット１は、例えば、嵌合式固定開口として機能する４つの開口１ｅを備えた前板１ｄにはめ込まれる。このソケットでは、図示されていない接続箱の中にラック及び引き込み部分が配置できる。
【００１４】
上記ソケット１の前に安全装置２が配置され、この安全装置はカラー状のハウジング２ａを有する。このハウジング２ａには、上記ソケット１の方向に突出した４つの嵌合式固定具２ｃが固定的に接続されている。このハウジング２ａは、その内部にプラグ３用の案内具２ｂを有する。更にこのハウジング２ａは、その下部にキー用の開口若しくはキー孔２ｄを有する。
図１（ａ）の前面図は、図１に示されたハウジング２ａが開口２ｆと窪み２ｅとを有することを示している。
【００１５】
上記嵌合式固定具２ｃは、上記前板１ｄの嵌合式固定開口１ｅに差し込むことが可能であり、これにより、図２に示すように安全装置２がソケット１に固定的に接続される。プラグ３はプラグ接点３ａと、当接部を有する開錠舌状部材３ｂとを有する。このプラグ３は、ケーブル４に接続されている。更に図２は、上記プラグ３が安全装置２即ちソケット１に差し込まれる直前の該プラグ３の姿勢を示す。このプラグ３がソケット１に差し込まれると、図６，７の縦断面図に示すように，上記開錠舌状部材３ｂが公知の方法でソケット１に配置された係止突起１ｆに食い込んで係止する。それによって、上記プラグ３は確実にソケット１に保持される。図６に見られるように、上記係止突起１ｆとの結合は、上記開錠舌状部材３ｂを押圧することによって再び解除され、プラグ３はソケット１から引き出される。
【００１６】
図７の縦断面図から分かるように、上記プラグ３がソケット１に接続される場合、上記開錠舌状部材３ｂが完全にハウジング２ａの内部に配置されるように、該ハウジング２ａは開錠舌状部材３ｂに関連して適切に形成されている。それによって該開錠舌状部材３ｂは、直接外部から接近できず、またそれと共に直接外部から操作できない。
【００１７】
図３は、ソケット１に接続されたプラグ３を示す。移動方向５ａに沿ってキー５が安全装置２のキー孔２ｄに差し込まれる。このキー５は、キー主爪５ｂ、結合軸５ｃ、軸受け部５ｄ、結合部５ｅ及び握り５ｆを有する。上記キー孔２ｄ及び／又はハウジング２ａの表面に配置された軸受け部分２ｈが軸受けを形成し、この軸受けに上記キー５が軸５ａを中心に回転できるように支持される。
【００１８】
図４は図３による配置を示すが、上記キー５が安全装置２に完全に差し込まれている。図８は、ハウジング２ａ内部にあるキー主爪５ｂの姿勢を縦断面図で示すものである。このキー主爪５ｂが開錠舌状部材３ｂの下に置かれ、キー５つまり該キー主爪３ｂの回転によって図９に示すように開錠舌状部材３ｂが押し上げられたとき、係止突起１ｆと当接部３ｂとの間の結合が解除され、ケーブル４のプラグ３をソケット１から引き出すことができるように、キー孔２ｄが安全装置２に配置されている。上記窪み２ｅの高さは、プラグ３を後ろに引く場合に上記開錠舌状部材３ｂを妨害しないように、該開錠舌状部材３ｂの姿勢に関連してそれに適合している。内部縁２ｍは、係止突起１ｆを含めて開錠舌状部材３ｂのための更なる当接部分として使用されるように形成できる。
図５は、図４による配置を示すが、部分的に上記キー５を回転させている。
【００１９】
図１０は安全装置２におけるハウジング２ａの異なる実施例を前面図で示し、図１１は斜視図で示す。図１に示す安全装置２とは異なって、これは保持部２ｎを有し、そこに中子２ｉが方向Ａに沿って移動することにより差し込み可能である。図１２（ａ），１２ｂ及び１２ｃに示された３つの中子２ｉの夫々が、空所２ｌを備えた様々な形態のキー孔２ｄを有する。更に、これらの中子２ｉは突出した鼻状の突起２ｋを有する。これらの中子２ｉは、上記保持部２ｎに差し込むことができる。その結果、キー孔２ｄが軸受け部分２ｈの側にくることになり、上記鼻状突起２ｋは貫通部２ｇ内に位置する。図１４（ａ）、１４ｂ及び１４ｃはキー主爪５ｂを示し、これは本質的に水滴状に伸び、上記開錠舌状部材３ｂに作用する表面とキー副爪５ｇとを有する。上記キー５は、図１２（ａ），１２ｂ，１２ｃに示されたキー孔２ｄに対応する適切な形に形成され、キー孔２ｄを有する中子２ｉと、キー主爪５ｂ及びキー副爪５ｇを有するキー５とが夫々対になるように構成されている。好ましい態様では、対になった中子２ｉとキー５とが同じ特徴を備え、好ましくは同じ色で特徴づけられる。従って、中子２ｉとそれに付属するキー５とが、同じ色のプラスチックから製造できる。着色された中子２ｉの鼻状突起２ｋが貫通部２ｇ内に配置され、それによって安全装置２の前面から見て色が認識できることが、図１０から理解される。従って、同じ色のキーを選択するだけでよく、そのキー５でプラグ接続を分離することができる。このため、多様なキー５を有する安全装置２（複数）が簡単な方法で装備できる。また、図１乃至９に示す安全装置２は、多様に形成されたキー孔２ｄを具備でき、従って、プラグ接続を分離するためには、対応する多様に形成されたキー５が必要である。また、これらの安全装置２とキー５とは、色のような特徴を備えることもできる。
【００２０】
図１３は、キー主爪５ｂとキー副爪５ｇ、軸５ｃ、軸受け部５ｄ、結合部５ｅ及び握り５ｆを有するキー５の平面図である。
有利な態様において、安全装置２はパッキンを有し、例えば、パッキンは開口２ｆに配置され、ハウジング２ａの内部空間を外部に対して密閉するか又は湿気或いは埃から保護する。
図１（ａ）から明白なように、安全装置２は左右に軸受け部分２ｈとその近傍にキー孔２ｄを有してよく、従ってキー５を左又は右から安全装置２に差し込むことができる。
【図面の簡単な説明】
【００２１】
本発明の多数の実施例を次の図面に基づき説明する。
【図１】ソケット及び安全装置の斜視図である。
【図１（ａ）】安全装置のハウジングの前面図である。
【図２】安全装置が取り付けられたソケットとプラグとの非接続状態を示す斜視図である。
【図３】図２に示す安全装置とプラグとの接続状態と、差し込み前のキーとを示す斜視図である。
【図４】図３に示す安全装置とプラグとの接続状態と、差し込まれたキーとを示す斜視図である。
【図５】図３に示す安全装置とプラグとの接続状態と、差し込まれて部分的に回転されたキーとを示す斜視図である。
【図６】プラグ接続装置の要部の縦断面図である。
【図７】安全装置を有するプラグ接続装置の要部の縦断面図である。
【図８】図７に示すプラク接続装置にキーが差し込まれた状態の縦断面図である。
【図９】図７に示すプラク接続装置にキーが差し込まれて完全に回転された状態の縦断面図である。
【図１０】安全装置のハウジングの異なる例を示す前面図である。
【図１１】図１０のハウジングの斜視図である。
【図１２（ａ）】図１１に示す安全装置に用いる中子の一例を示す斜視図である。
【図１２（ｂ）】図１１に示す安全装置に用いる中子の他例を示す斜視図である。
【図１２（ｃ）】図１１に示す安全装置に用いる中子の更に他例を示す斜視図である。
【図１３】キーの平面図である。
【図１４（ａ）】キー主爪の一例を示す要部斜視図である。
【図１４（ｂ）】キー主爪の他例を示す要部斜視図である。
【図１４（ｃ）】キー主爪の更に他例を示す要部斜視図である。
【符号の説明】
【００２２】
１      ソケット
１ｆ      係止突起
２      安全装置
２ａ      ハウジング
２ｃ      固定具
２ｄ      キー溝
２ｇ      貫通部
２ｈ      軸受け部分
２ｉ      中子
２ｋ      突起
２ｎ      保持部
３      プラグ
３ｂ      開錠舌状部材
５      キー
５ａ      軸
５ｂ      キー主爪
６      パッキン
【図１】
2004533087.tif 000003
【図１（ａ）】
2004533087.tif 000004
【図２】
2004533087.tif 000005
【図３】
2004533087.tif 000006
【図４】
2004533087.tif 000007
【図５】
2004533087.tif 000008
【図６】
2004533087.tif 000009
【図７】
2004533087.tif 000010
【図８】
2004533087.tif 000011
【図９】
2004533087.tif 000012
【図１０】
2004533087.tif 000013
【図１１】
2004533087.tif 000014
【図１２（ａ）】
2004533087.tif 000015
【図１２（ｂ）】
2004533087.tif 000016
【図１２（ｃ）】
2004533087.tif 000017
【図１３】
2004533087.tif 000018
【図１４（ａ）】
2004533087.tif 000019
【図１４（ｂ）】
2004533087.tif 000020
【図１４（ｃ）】
2004533087.tif 000021
【国際公開パンフレット】
2004533087.tif 000022
2004533087.tif 000023
2004533087.tif 000024
2004533087.tif 000025
2004533087.tif 000026
2004533087.tif 000027
2004533087.tif 000028
2004533087.tif 000029
2004533087.tif 000030
2004533087.tif 000031
2004533087.tif 000032
2004533087.tif 000033
2004533087.tif 000034
2004533087.tif 000035
2004533087.tif 000036
2004533087.tif 000037
2004533087.tif 000038
2004533087.tif 000039
2004533087.tif 000040
【国際調査報告】
2004533087.tif 000041
2004533087.tif 000042
2004533087.tif 000043
2004533087.tif 000044
2004533087.tif 000045
2004533087.tif 000046